(57)【要約】【課題】過去に検索したことのある単語が文書内にあれば、ユーザはその単語については検索サイトで検索を行わなくてもその意味を知ることができる画像処理装置を提供する。【解決手段】ネットワーク上の検索サイト５によりキーワードについての検索が行われ、検索結果の中からいずれかのウェブページが選択されると、キーワード、選択されたウェブページ内の文章、ウェブページのアドレスが互いに関連付けられ調査履歴として記憶装置１８に保存される。ジョブを実行される１個または複数個の文書内に、保存された調査履歴内のキーワードと一致する単語が含まれているか否かの判別動作が行われる。一致する単語が含まれていることが判別された場合には、キーワードに関連付けられた調査履歴内の文章の少なくとも一部及び／またはウェブページのアドレスを前記文書とともに表示させるための表示用データが作成され、該データを用いてジョブが実行される。【選択図】図８
2011008600.tif 000002
【特許請求の範囲】
【請求項１】
ウェブブラウザによりネットワーク上の検索サイトに検索対象のキーワードを送信する送信手段と、
前記キーワードと、前記検索サイトによる検索結果の中から選択されたウェブページ内の文章と、ウェブページのアドレスとを、互いに関連付けて調査履歴として保存する調査履歴保存手段と、
ジョブを実行される１個または複数個の文書内に、前記調査履歴保存手段に保存された前記調査履歴内のキーワードと一致する単語が含まれているかどうかの判別動作を行う単語判別手段と、
前記単語判別手段により、調査履歴内のキーワードと一致する単語が、前記文書に含まれていることが判別された場合には、前記キーワードに関連付けられた調査履歴内の文章の少なくとも一部及び／またはウェブページのアドレスを前記文書とともに表示するための表示用データを作成する表示用データ作成手段と、
前記表示用データ作成手段により作成された表示用データを用いてジョブを実行するジョブ実行手段と、
を備えたことを特徴とする画像処理装置。
【請求項２】
前記調査履歴保存手段に調査履歴として保存されるウェブページ内の文章の範囲を指定する文章範囲指定手段を備えている請求項１に記載の画像処理装置。
【請求項３】
前記文章範囲指定手段は、ユーザによってドラッグされた部分、予め設定された文頭からの行数、予め設定された文頭からの文字数のうちのいずれかを文章の範囲として指定する請求項２に記載の画像処理装置。
【請求項４】
前記送信手段による検索サイトへの検索対象のキーワードの送信は、該画像処理装置をウェブサーバとして使用する外部デバイスからの指示に基づいて行われる請求項１〜３のいずれかに記載の画像処理装置。
【請求項５】
前記単語判別手段は、前記文書に対して実行されるジョブの条件に応じて、判別動作を行うかどうかを決定し、または判別動作の内容を変更する請求項１〜４のいずれかに記載の画像処理装置。
【請求項６】
前記単語判別手段は、前記文書に対して実行されるジョブが、文書をサーチャブルＰＤＦに変換するジョブであるか、サーチャブルＰＤＦからなる文書を扱うジョブである場合に判別動作を行う請求項５に記載の画像処理装置。
【請求項７】
前記単語判別手段は、前記文書に対して実行されるジョブが時間的制限のないジョブまたは時間的制限の小さいジョブである場合には、全ての調査履歴内の全てのキーワードについて、該キーワードと一致する単語が文書に含まれているかどうかを判別し、時間的制限の大きいジョブについては、全ての調査履歴内の全てのキーワードの中から選択された一部のキーワードについて、該キーワードと一致する単語が文書に含まれているかどうかを判別する請求項５に記載の画像処理装置。
【請求項８】
文書記憶手段を備え、
前記ジョブを実行される文書が前記文書記憶手段に予め記憶されている場合は、前記単語判別手段は、全ての調査履歴内の全てのキーワードについて、該キーワードと一致する単語が各文書に含まれているかどうかを判別する請求項１〜４のいずれかに記載の画像処理装置。
【請求項９】
前記表示用データ作成手段は、キーワードと一致する文書中の単語に、調査履歴内のアドレスがリンク先として埋め込まれたデータか、調査履歴内の文章やアドレスを表示するレイヤを文書と合成して、キーワードと一致する文書中の単語から吹き出し状にかつ非表示選択可能に前記文章やアドレスを表示させるデータか、キーワードと一致する文書中の単語に装飾を施し、該単語が指定されたときに調査履歴内の文章やアドレスを表示させるデータか、キーワードと一致する文書中の単語をリスト表示し、リスト中のいずれかの単語が指定されたときに、その単語に関する調査履歴内の文章やアドレスをウィンドウ表示させるデータ、のうちの少なくともいずれかを表示用データとして作成する請求項１〜８のいずれかに記載の画像処理装置。
【請求項１０】
前記表示用データ作成手段は、文書の余白領域に応じて、表示用データを作成する請求項９に記載の画像処理装置。
【請求項１１】
前記表示用データ作成手段により作成された表示用データを用いて前記ジョブ実行手段によりジョブを実行すべきかどうかを、ジョブの種類に基づいて判断する判断手段を備えている請求項１〜１０のいずれかに記載の画像処理装置。
【請求項１２】
前記請求項１〜１１のいずれかに記載された画像処理装置が用いられ、
さらに、原稿の画像を読み取るスキャナ手段を備えるとともに、前記スキャナ手段により読み取られた原稿の画像データからなる文書に対して、前記単語判別手段による判別動作が行われることを特徴とする画像形成装置。
【請求項１３】
ウェブブラウザによりネットワーク上の検索サイトに検索対象のキーワードを送信する送信ステップと、
前記キーワードと、前記検索サイトによる検索結果の中から選択されたウェブページ内の文章と、ウェブページのアドレスとを、互いに関連付けて調査履歴として調査履歴保存手段に保存するステップと、
ジョブを実行される１個または複数個の文書内に、前記調査履歴保存手段に保存された前記調査履歴内のキーワードと一致する単語が含まれているかどうかの判別動作を行う単語判別ステップと、
前記単語判別ステップにおいて、調査履歴内のキーワードと一致する単語が、前記文書に含まれていることが判別された場合には、前記キーワードに関連付けられた調査履歴内の文章の少なくとも一部及び／またはウェブページのアドレスを前記文書とともに表示するための表示用データを作成する表示用データ作成ステップと、
前記表示用データ作成ステップにおいて作成された表示用データを用いてジョブを実行するジョブ実行ステップと、
を備えたことを特徴とする画像処理装置における画像処理方法。
【請求項１４】
ウェブブラウザによりネットワーク上の検索サイトに検索対象のキーワードを送信する送信ステップと、
前記キーワードと、前記検索サイトによる検索結果の中から選択されたウェブページ内の文章と、ウェブページのアドレスとを、互いに関連付けて調査履歴として調査履歴保存手段に保存するステップと、
ジョブを実行される１個または複数個の文書内に、前記調査履歴保存手段に保存された前記調査履歴内のキーワードと一致する単語が含まれているかどうかの判別動作を行う単語判別ステップと、
前記単語判別ステップにおいて、調査履歴内のキーワードと一致する単語が、前記文書に含まれていることが判別された場合には、前記キーワードに関連付けられた調査履歴内の文章の少なくとも一部及び／またはウェブページのアドレスを前記文書とともに表示させるための表示用データを作成する表示用データ作成ステップと、
前記表示用データ作成ステップにおいて作成された表示用データを用いてジョブを実行する実行ステップと、
を画像処理装置のコンピュータに実行させるための画像処理プログラム。
【発明の詳細な説明】
【技術分野】
【０００１】
この発明は、複写機、プリンタ、あるいはコピー機能、プリンタ機能、スキャン機能等の機能を有する多機能デジタル画像形成装置であるＭＦＰ（Multi Function Peripherals）等の画像処理装置、該画像処理装置で実行される画像処理方法、画像形成装置及び画像処理プログラムに関する。
【背景技術】
【０００２】
上記のようなＭＦＰ等の画像処理装置には、インターネット上のウェブページの閲覧ソフトであるウェブブラウザを搭載され、該ウェブブラウザによりネットワーク上の検索サイトにアクセスして、ユーザが希望するキーワードの検索を行えるように構成されたものが知られている。
【０００３】
このような画像処理装置では、ユーザが例えば画像処理装置内に保存した文書を閲覧するときに、文書内に意味の不明な単語があると、この単語の意味をウェブブラウザによりネットワーク上の検索サイトで検索することができる。
【０００４】
ところで、過去に一度検索した単語であっても、その意味をすぐに忘れることが多い。このため、文書内に意味の不明な単語がありそれが過去に検索した単語であっても、その都度検索サイトにキーワードを送信して検索を行っているのが実情であり、操作が煩わしく効率的でないという問題がある。
【０００５】
なお、特許文献１には、現在閲覧中の文書に対する適切な参照文書を提供できる情報処理装置が開示されている。具体的には、前記情報処理装置は、ユーザが文書を閲覧中に、閲覧文書と参照文書との関係や、検索した時に使った単語等と検索結果から参照した文書との関係をコンテクストメタデータとして記録しておき、再度、ユーザが文書を閲覧したときに、前記コンテクストメタデータを分析して、今閲覧中の文書から過去に参照したことのある文書のリストを提供する等により閲覧者が閲覧文書を理解するのを支援するものとなされている。
【先行技術文献】
【特許文献】
【０００６】
【特許文献１】特開２００７−１０２７６７号公報
【発明の概要】
【発明が解決しようとする課題】
【０００７】
しかしながら、特許文献１に記載された情報処理装置は、ある文書から他の文書を参照できるリストを提供するものであって、過去に検索されたことのある文書内の単語の意味をユーザに教えるものではなく、しかも文書が異なれば提供されるリストも相違する。これでは、文書内に意味の不明な単語があればそれが過去に検索した単語であっても、ユーザがその都度検索サイトで検索しなければならないという、前述した問題を解消することはできなかった。
【０００８】
この発明は、このような技術的背景に鑑みてなされたものであって、過去に検索したことのある単語が文書内にあれば、ユーザはその単語については検索サイトで検索を行わなくても、その意味を知ることができる画像処理装置及び画像処理方法を提供し、さらには画像形成装置及び画像処理プログラムを提供することを課題とする。
【課題を解決するための手段】
【０００９】
上記課題は以下の手段によって解決される。
（１）ウェブブラウザによりネットワーク上の検索サイトに検索対象のキーワードを送信する送信手段と、前記キーワードと、前記検索サイトによる検索結果の中から選択されたウェブページ内の文章と、ウェブページのアドレスとを、互いに関連付けて調査履歴として保存する調査履歴保存手段と、ジョブを実行される１個または複数個の文書内に、前記調査履歴保存手段に保存された前記調査履歴内のキーワードと一致する単語が含まれているかどうかの判別動作を行う単語判別手段と、前記単語判別手段により、調査履歴内のキーワードと一致する単語が、前記文書に含まれていることが判別された場合には、前記キーワードに関連付けられた調査履歴内の文章の少なくとも一部及び／またはウェブページのアドレスを前記文書とともに表示するための表示用データを作成する表示用データ作成手段と、前記表示用データ作成手段により作成された表示用データを用いてジョブを実行するジョブ実行手段と、を備えたことを特徴とする画像処理装置。
（２）前記調査履歴保存手段に調査履歴として保存されるウェブページ内の文章の範囲を指定する文章範囲指定手段を備えている前項１に記載の画像処理装置。
（３）前記文章範囲指定手段は、ユーザによってドラッグされた部分、予め設定された文頭からの行数、予め設定された文頭からの文字数のうちのいずれかを文章の範囲として指定する前項２に記載の画像処理装置。
（４）前記送信手段による検索サイトへの検索対象のキーワードの送信は、該画像処理装置をウェブサーバとして使用する外部デバイスからの指示に基づいて行われる前項１〜３のいずれかに記載の画像処理装置。
（５）前記単語判別手段は、前記文書に対して実行されるジョブの条件に応じて、判別動作を行うかどうかを決定し、または判別動作の内容を変更する前項１〜４のいずれかに記載の画像処理装置。
（６）前記単語判別手段は、前記文書に対して実行されるジョブが、文書をサーチャブルＰＤＦに変換するジョブであるか、サーチャブルＰＤＦからなる文書を扱うジョブである場合に判別動作を行う前項５に記載の画像処理装置。
（７）前記単語判別手段は、前記文書に対して実行されるジョブが時間的制限のないジョブまたは時間的制限の小さいジョブである場合には、全ての調査履歴内の全てのキーワードについて、該キーワードと一致する単語が文書に含まれているかどうかを判別し、時間的制限の大きいジョブについては、全ての調査履歴内の全てのキーワードの中から選択された一部のキーワードについて、該キーワードと一致する単語が文書に含まれているかどうかを判別する前項５に記載の画像処理装置。
（８）文書記憶手段を備え、前記ジョブを実行される文書が前記文書記憶手段に予め記憶されている場合は、前記単語判別手段は、全ての調査履歴内の全てのキーワードについて、該キーワードと一致する単語が各文書に含まれているかどうかを判別する前項１〜４のいずれかに記載の画像処理装置。
（９）前記表示用データ作成手段は、キーワードと一致する文書中の単語に、調査履歴内のアドレスがリンク先として埋め込まれたデータか、調査履歴内の文章やアドレスを表示するレイヤを文書と合成して、キーワードと一致する文書中の単語から吹き出し状にかつ非表示選択可能に前記文章やアドレスを表示させるデータか、キーワードと一致する文書中の単語に装飾を施し、該単語が指定されたときに調査履歴内の文章やアドレスを表示させるデータか、キーワードと一致する文書中の単語をリスト表示し、リスト中のいずれかの単語が指定されたときに、その単語に関する調査履歴内の文章やアドレスをウィンドウ表示させるデータ、のうちの少なくともいずれかを表示用データとして作成する前項１〜８のいずれかに記載の画像処理装置。
（１０）前記表示用データ作成手段は、文書の余白領域に応じて、表示用データを作成する前項９に記載の画像処理装置。
（１１）前記表示用データ作成手段により作成された表示用データを用いて前記ジョブ実行手段によりジョブを実行すべきかどうかを、ジョブの種類に基づいて判断する判断手段を備えている前項１〜１０のいずれかに記載の画像処理装置。
（１２）前記前項１〜１１のいずれかに記載された画像処理装置が用いられ、さらに、原稿の画像を読み取るスキャナ手段を備えるとともに、前記スキャナ手段により読み取られた原稿の画像データからなる文書に対して、前記単語判別手段による判別動作が行われることを特徴とする画像形成装置。
（１３）ウェブブラウザによりネットワーク上の検索サイトに検索対象のキーワードを送信する送信ステップと、前記キーワードと、前記検索サイトによる検索結果の中から選択されたウェブページ内の文章と、ウェブページのアドレスとを、互いに関連付けて調査履歴として調査履歴保存手段に保存するステップと、ジョブを実行される１個または複数個の文書内に、前記調査履歴保存手段に保存された前記調査履歴内のキーワードと一致する単語が含まれているかどうかの判別動作を行う単語判別ステップと、前記単語判別ステップにおいて、調査履歴内のキーワードと一致する単語が、前記文書に含まれていることが判別された場合には、前記キーワードに関連付けられた調査履歴内の文章の少なくとも一部及び／またはウェブページのアドレスを前記文書とともに表示するための表示用データを作成する表示用データ作成ステップと、前記表示用データ作成ステップにおいて作成された表示用データを用いてジョブを実行するジョブ実行ステップと、を備えたことを特徴とする画像処理装置における画像処理方法。
（１４）ウェブブラウザによりネットワーク上の検索サイトに検索対象のキーワードを送信する送信ステップと、前記キーワードと、前記検索サイトによる検索結果の中から選択されたウェブページ内の文章と、ウェブページのアドレスとを、互いに関連付けて調査履歴として調査履歴保存手段に保存するステップと、ジョブを実行される１個または複数個の文書内に、前記調査履歴保存手段に保存された前記調査履歴内のキーワードと一致する単語が含まれているかどうかの判別動作を行う単語判別ステップと、前記単語判別ステップにおいて、調査履歴内のキーワードと一致する単語が、前記文書に含まれていることが判別された場合には、前記キーワードに関連付けられた調査履歴内の文章の少なくとも一部及び／またはウェブページのアドレスを前記文書とともに表示させるための表示用データを作成する表示用データ作成ステップと、前記表示用データ作成ステップにおいて作成された表示用データを用いてジョブを実行する実行ステップと、を画像処理装置のコンピュータに実行させるための画像処理プログラム。
【発明の効果】
【００１０】
前項（１）に記載の発明によれば、ネットワーク上の検索サイトによりキーワードについての検索が行われ、検索結果の中からいずれかのウェブページが選択されると、前記キーワードと、前記選択されたウェブページ内の文章と、ウェブページのアドレスとが、互いに関連付けられて調査履歴として保存される。そして、ジョブを実行される１個または複数個の文書内に、前記保存された調査履歴内のキーワードと一致する単語が含まれているかどうかの判別動作が行われる。キーワードと一致する単語が含まれていることが判別された場合には、前記キーワードに関連付けられた調査履歴内の文章の少なくとも一部及び／またはウェブページのアドレスを前記文書とともに表示させるための表示用データが作成され、この表示用データを用いてジョブが実行される。
【００１１】
従って、ジョブが実行される文書の種類を問わず、文書内に過去に検索したことのあるキーワードと一致する単語が含まれている場合は、キーワードに関連付けられた調査履歴内の文章の少なくとも一部及び／またはウェブページのアドレスを文書とともに表示するための表示用データが作成され、この表示用データを用いてジョブが実行されるから、その単語についてはもはやネットワーク上の検索サイトで検索を行わなくても、ユーザは単語の意味を容易に知ることができ、極めて効率的であり便利である。
【００１２】
前項（２）に記載の発明によれば、調査履歴として保存されるウェブページ内の文章の範囲を指定することができる。
【００１３】
前項（３）に記載の発明によれば、ユーザによってドラッグされた部分、予め設定された文頭からの行数、予め設定された文頭からの文字数のうちのいずれかを文章の範囲として指定することができる。
【００１４】
前項（４）に記載の発明によれば、ユーザは外部デバイスから画像処理装置をウェブサーバとして使用して、キーワードを検索サイトで検索することができ、キーワード等を調査履歴として保存することができる。
【００１５】
前項（５）に記載の発明によれば、文書に対して実行されるジョブの条件に応じて、判別動作を行うかどうかが決定され、または判別動作の内容が変更される。
【００１６】
前項（６）に記載の発明によれば、文書に対して実行されるジョブが、文書をサーチャブルＰＤＦに変換するジョブであるか、サーチャブルＰＤＦからなる文書を扱うジョブである場合に判別動作が実行される。
【００１７】
前項（７）に記載の発明によれば、文書に対して実行されるジョブの時間的制限の大小に応じて、キーワードと一致する単語が文書に含まれているかどうかの判別を効率的に行うことができる。
【００１８】
前項（８）に記載の発明によれば、文書記憶手段の記憶領域に予め記憶されている文書については、全ての調査履歴内の全てのキーワードについて、該キーワードと一致する単語が各文書に含まれているかどうかの判別が行われる。
【００１９】
前項（９）に記載の発明によれば、表示用データとして各種のデータが作成される。
【００２０】
前項（１０）に記載の発明によれば、文書の余白領域に応じて、表示用データが作成されるから、余白領域に応じてユーザが見易い表示用データを作成できる。
【００２１】
前項（１１）に記載の発明によれば、表示用データを用いてジョブを実行すべきかどうかが、ジョブの種類に基づいて判断される。
【００２２】
前項（１２）に記載の発明によれば、スキャナ手段により読み取られた原稿の画像データからなる文書内に、過去に検索したことのあるキーワードと一致する単語が含まれている場合は、ネットワーク上の検索サイトで検索を行わなくても、ユーザは単語の意味を容易に知ることができる。
【００２３】
前項（１３）に記載の発明によれば、文書の種類を問わず、文書内に過去に検索したことのあるキーワードと一致する単語が含まれている場合は、キーワードに関連付けられた調査履歴内の文章の少なくとも一部及び／またはウェブページのアドレスを文書とともに表示するための表示用データが作成され、この表示用データを用いてジョブが実行されるから、その単語についてはもはやネットワーク上の検索サイトで検索を行わなくても、ユーザは単語の意味を容易に知ることができ、極めて効率的であり便利である。
【００２４】
前項（１４）に記載の発明によれば、ネットワーク上の検索サイトによりキーワードについての検索を行い、検索結果の中からいずれかのウェブページが選択されると、前記キーワードと、前記選択されたウェブページ内の文章と、ウェブページのアドレスとを、互いに関連付けられて調査履歴として保存し、１個または複数個の文書内に、前記保存された調査履歴内のキーワードと一致する単語が含まれているかどうかの判別動作を行い、キーワードと一致する単語が含まれていることが判別された場合には、前記キーワードに関連付けられた調査履歴内の文章の少なくとも一部及び／またはウェブページのアドレスを前記文書とともに表示させるための表示用データを作成し、作成された表示用データを用いてジョブを実行する処理を、画像処理装置のコンピュータに実行させることができる。
【図面の簡単な説明】
【００２５】
【図１】この発明の一実施形態に係る画像処理装置が用いられたネットワークシステムの構成を示す図である。
【図２】ＭＦＰ１の概略構成を示すブロック図である。
【図３】画像処理装置がＷｅｂ検索サイトにアクセスしてキーワードの検索を行う場合の動作を示すフローチャートである。
【図４】ユーザが画像処理装置を操作してキーワードの検索を行う場合の動作を示すフローチャートである。
【図５】Ｗｅｂサイトから送信された選択ウェブページを操作パネル部の表示部に表示すると共に、調査履歴として保存する文章をユーザに選択させる際の表示部の画面図である。
【図６】記憶装置に保存された前記調査履歴の一例を示す図である。
【図７】画像処理装置に保存された調査履歴を用いて、文書閲覧時に文書内の単語の意味を表示させた状態の画面を示す図である。
【図８】ユーザが画像処理装置に対してジョブを要求したときの画像処理装置の動作を示すフローチャートである。
【図９】文書内の単語判別を行う対象となるキーワード及び単語についての条件を、ユーザ等が設定する場合の設定画面を示す図である。
【図１０】この発明の他の実施形態を示すもので、画像処理装置の動作を示すフローチャートである。
【図１１】この発明のさらに他の実施形態を示すもので、画像処理装置の動作を示すフローチャートである。
【発明を実施するための形態】
【００２６】
以下、この発明の一実施形態を図面を参照しつつ説明する。
【００２７】
図１は、この発明の一実施形態に係る画像処理装置が用いられたネットワークシステムの構成を示す図である。
【００２８】
図１の画像処理システムでは、複数台の画像処理装置１、１と、パーソナルコンピュータからなる外部デバイスとしての複数台の端末装置２、２が、イーサネット（登録商標）を用いるＬＡＮ（Local Area Network）３、３及びインターネット網４を介して複数のウェブ（Ｗｅｂ）検索サイト５と接続されている。
【００２９】
この実施形態では、画像処理装置１として、前述の多機能デジタル画像形成装置であるＭＦＰが用いられている。以下、画像処理装置１をＭＦＰ１と記すこともある。
【００３０】
図２はＭＦＰ１の概略構成を示すブロック図である。
【００３１】
ＭＦＰ１は、システムコントローラ１１、スキャナ部１２、入力画像処理部１３、メモリ１４、出力画像処理部１５、プリンタエンジン１６、ネットワークインターフェース１７、記憶装置１８、操作パネル部１９等を備えている。
【００３２】
前記システムコントローラ１１はＣＰＵ１１１を備え、該ＣＰＵ１１１が記憶装置１８等に記憶されている動作プログラムに従って動作することにより、ＭＦＰ１の全体を統括的に制御するものであり、ＭＦＰ１の各構成部と接続されている。また、この実施形態では、システムコントローラ１１はＭＦＰ１を端末装置２に対するウェブサーバとしても機能させるものとなされている。
【００３３】
前記スキャナ部１２は、原稿台（図示せず）に置かれた原稿の画像を読み取り、電子データである画像データを出力する。
【００３４】
入力画像処理部１３は前記スキャナ部１２から送られてきた画像データに所定の処理を施すものであり、前記メモリ１４は前記スキャナ部１２から送られてきた画像データを記憶する。また、前記出力画像処理部１５は前記入力画像処理部１３で処理された画像データから印刷データを作成する。
【００３５】
前記プリンタエンジン１６は、スキャナ部１２で読み取られた原稿の画像データや、端末装置２から送信されたプリントデータ等を印刷するものである。
【００３６】
前記ネットワークインターフェース１７は、ＬＡＮ３やインターネット網４を介して端末装置２や検索サイト５との間でデータの送受信を行うための通信部として機能する。
【００３７】
前記記憶装置１８はハードディスク等の記憶媒体からなり、ＣＰＵ１１１の動作プログラム、各種のアプリケーションソフト、各種のデータが格納されている。この実施形態では、ウェブページ閲覧用のソフトウェアであるウェブブラウザが格納されており、このウェブブラウザにより前記ネットワークインターフェース１７を介して、前記インターネット上のウェブページを閲覧可能となされている。
【００３８】
また、記憶装置１８は、ボックスと称される１個または複数個の記憶領域を備え、記憶領域には、１個または複数個のジョブ対象の文書がジョブ前に予め格納されている。なお、ボックスには各ユーザに割り当てられたプライベートボックス、グループで共有されるグループボックス、アクセス制限のないパブリックボックスなどがある。
【００３９】
前記操作パネル部１９は、ＭＦＰ１の操作状態やモード設定画面、メッセージ、インターネット上のウェブページ等を表示する液晶タッチパネルからなる表示部１９１と、テンキー、スタートキー、ストップキー等を備えたキー入力部１９２とを備えている。
【００４０】
また、ＭＦＰ１はそれぞれワークフローを保持し管理する機能を有する。ワークフロートは、ネットワーク３に接続された複数のデバイス間で予め設定されたジョブの連携処理のフローをいう。ワークフローは記憶装置１８に格納される。ワークフローを記憶装置１８に格納しておくことで、そのフローを後で再利用できる。
【００４１】
次に、図１のシステムにおけるＭＦＰ１の動作を説明する。
【００４２】
まず、ＭＦＰ１がＷｅｂ検索サイトにアクセスしてキーワードの検索を行う場合の動作を、図３のフローチャートを参照して説明する。この例では、ＭＦＰ１をウェブサーバとして使用して検索を行う場合を示し、端末装置２の所有者であるユーザが、検索対象であるキーワードの送信を端末装置２からＭＦＰ１に指示することにより行われる。
【００４３】
なお、ＭＦＰ１の動作は、システムコントローラ１１のＣＰＵ１１１が記憶装置１８等に記憶された動作プログラムに従って動作することにより実行される。
【００４４】
まず、端末装置２がＭＦＰ１をウェブサーバとしてウェブ検索サイト５でのキーワード検索要求を行う（ステップＳ０１）。
【００４５】
ＭＦＰ１は、端末装置２から検索を要求されたキーワードをＷｅｂ検索サイト５に転送するとともに、そのキーワードを保存しておく（ステップＳ１１）。
【００４６】
検索サイト５はキーワードによる検索を行い（ステップＳ２１）、その結果をＭＦＰ１に転送する（ステップＳ２２）。
【００４７】
ＭＦＰ１はウェブ検索サイト５からの検索結果を端末装置２に転送する（ステップＳ１２）。
【００４８】
端末装置２は検索結果のリストを表示する（ステップＳ０２）。端末装置２のユーザは検索結果のリストの中から所望のウェブページを選択し、端末装置２は選択されたウェブページ（以下、選択ウェブページともいう）の表示要求をＭＦＰ１へ行う（ステップＳ０３）。
【００４９】
ＭＦＰ１は端末装置２からの表示要求をＷｅｂサイトへ転送するとともに、選択されたウェブページのアドレスであるＵＲＬ（Uniform Resource Locator）を保存しておく（ステップＳ１３）。
【００５０】
ＷｅｂサイトはＭＦＰ１から転送されてきた選択ウェブページの表示要求に応じて、選択ウェブページをＭＦＰ１に転送する（ステップＳ２３）。
【００５１】
ＭＦＰ１はＷｅｂサイトから送信された選択ウェブページを端末装置２に転送するとともに、選択ウェブページにおける指定された範囲の文章を選択ウェブページから読み取り保存する（ステップＳ１４）。そして、保存しておいた「キーワード」「文章」「ＵＲＬ」を紐付け、調査履歴として記憶装置１８に保存する（ステップＳ１５）。選択ウェブページから指定される文章の範囲は、例えば予め設定された文頭からの行数であっても良いし、予め設定された文頭からの文字数であっても良い。
【００５２】
端末装置２はＭＦＰ１から送信された選択ウェブページを表示する（ステップＳ０４）。
【００５３】
図３に示した例では、ＭＦＰ１をウェブサーバとして使用し、端末装置２から検索要求を送信して検索を行う場合を示したが、ユーザがＭＦＰ１を直接操作することにより、キーワードの検索を行わせるとともに、調査履歴として保存する文章の範囲をユーザが指定できるものとしても良い。
【００５４】
ユーザがＭＦＰ１を操作してキーワードの検索を行う場合の動作を、図４のフローチャートを参照して説明する。ＭＦＰ１の動作は、システムコントローラ１１のＣＰＵ１１１が記憶装置１８等に記憶された動作プログラムに従って動作することにより実行される。
【００５５】
まず、ＭＦＰ１は、ユーザにより入力された検索対象のキーワードをＷｅｂ検索サイト５に送信するとともに、そのキーワードを保存しておく（ステップＳ４１）。
【００５６】
検索サイト５はキーワードによる検索を行い（ステップＳ５１）、その結果をＭＦＰ１に転送する（ステップＳ５２）。
【００５７】
ＭＦＰ１はウェブ検索サイト５からの検索結果のリストを表示部１９１に表示する（ステップＳ４２）。ユーザは検索結果のリストの中から所望のウェブページを選択すると、ＭＦＰ１は選択ウェブページの表示要求をＷｅｂサイトへ送信するとともに、選択ウェブページのＵＲＬを保存しておく（ステップＳ４３）。
【００５８】
ＷｅｂサイトはＭＦＰ１から送信されてきた選択ウェブページの表示要求に応じて、選択ウェブページをＭＦＰ１に転送する（ステップＳ５３）。
【００５９】
ＭＦＰ１は、図５に示すように、Ｗｅｂサイトから送信された選択ウェブページを表示部１９１に表示すると共に、調査履歴として保存する文章の選択をユーザに促すメッセージ１９１ａを表示し（ステップＳ４５）、さらに「調査履歴へ保存」キー１９１ｂを表示する（ステップＳ４６）。
【００６０】
ユーザは保存しておきたい文章をドラッグし、前記「調査履歴へ保存」キー１９１ｂを押すと、ドラッグされた文章が保存され（ステップＳ４７）、次いで、検索されたキーワードとドラッグされた文章とＵＲＬが関連付けられて調査履歴として保存される（ステップＳ４８）。なお、図５では斜線部分がドラッグされた文章であることを示している。
【００６１】
図６は、記憶装置１８に保存された前記調査履歴の一例を示す図である。この実施形態では、前述した「キーワード」「文章」「ＵＲＬ」の他に、調査日と調査時刻が調査履歴に含まれている。図６のＮｏ１に示す調査履歴が、図５の画面からユーザが保存文章をドラッグした場合の調査履歴であり、
検索対象のキーワード：ＰＣＩ  Ｅｘｐｒｅｓｓ、
保存する文章：チップセット間接続ないし・・・の名称で知られていた。
【００６２】
保存するＵＲＬ：http：//www.sophia-it.com/content/PCl+Express
となっている。
【００６３】
また、図６のＮｏ１４、Ｎｏ３２に示す調査履歴では、選択ウェブページにおける予め設定された文頭からの行数あるいは文頭からの文字数の文章が保存されている。
【００６４】
なお、調査履歴はユーザ毎に作成され保存されても良いし、ユーザの区別なく作成され保存されても良い。また、後述する調査履歴の利用に関しても、作成保存された調査履歴はユーザ毎に利用されても良いし、全ての調査履歴がユーザの別なく全ユーザに対して利用されても良いし、ユーザ毎の利用か全ユーザに対する利用かを選択できる構成としても良い。
【００６５】
図７は、ＭＦＰ１に保存された調査履歴を用いて、ＭＦＰ１に保存された文書等の文書閲覧時に文書内の単語の意味を表示させた状態の画面を示す図である。
【００６６】
ユーザがＭＦＰ１を介して開く文書内に、調査履歴内のキーワードと一致する単語が含まれていた場合は、図７に示すように、該当の単語をアンダーライン等で強調し、記憶装置１８に保存されている調査履歴から、キーワードと紐付けられているキーワードの意味を示す文章を、吹き出し状態で表示する。
【００６７】
このような表示は、ＭＦＰ１が表示用のデータを作成することで行われる。例えば、ジョブ対象の文書がサーチャブルＰＤＦ（Portable Document Format）からなるものである場合、ＭＦＰ１がアンダーラインや吹き出し状の文章等を有するレイヤ（以下、意味レイヤともいう）を作成し、この意味レイヤと文書とを合成することにより、文書とともにアンダーラインや文章等を表示するための表示用データを作成する。
【００６８】
なお、文章の代わりに調査履歴内のアドレスを、リンク先として表示しても良い。
【００６９】
また、ＭＦＰ１は、キーワードと一致する文書中の単語に、調査履歴内のアドレスがリンク先として埋め込まれた表示用データを作成して表示しても良い。
【００７０】
また、キーワードと一致する閲覧文書中の単語に装飾を施し、該単語がカーソル等により指定されたときに調査履歴内の文章やアドレスを表示させる表示用データを作成して表示しても良い。
【００７１】
また、図７に示すように、キーワードと一致する閲覧文書中の単語に対応するリストキー１９１ｃを表示し、いずれかのリストキー１９１ｃが指定されたときに、その単語に関する調査履歴内の文章やアドレスをウィンドウで表示する表示用データを作成しても良い。
【００７２】
また、この実施形態では、表示キー１９１ｄ及び非表示キー１９１ｅが表示され、ユーザが表示キー１９１ｄを押すと、図７のように文章等表示モードとなって、キーワードと同じ単語に関する調査履歴内の文章やアドレスが表示され、非表示キー１９１ｅを押すと、文章等非表示モードとなって、調査履歴内の文章やアドレスの表示は行われず、閲覧文書のみが表示されるようになっている。
【００７３】
次に、ユーザがＭＦＰ１に対してジョブを要求したときのＭＦＰ１の動作を、図８のフローチャートを参照して説明する。この動作は、システムコントローラ１１のＣＰＵ１１１が記憶装置１８等に記憶された動作プログラムに従って動作することにより実行される。
【００７４】
ステップＳ６１で、ジョブの処理要求があったかどうかを判断する。ジョブの処理要求はＭＦＰ１を直接操作することにより行われても良いし、端末装置２から行われても良い。処理要求がなければ（ステップＳ６１でＮＯ）、ステップＳ６２で、記憶装置１８の記憶領域であるボックス内に、文書と合成されて表示される前記意味レイヤが作成されていないサーチャブルＰＤＦからなる文書が保存されているかどうかを判断する。
【００７５】
保存されていなければ（ステップＳ６２でＮＯ）、何もせず処理を終了する。保存されていれば（ステップＳ６２でＹＥＳ）、ステップＳ６３で、記憶装置１８に前記調査履歴が保存されているかどうかを判断する。
【００７６】
調査履歴が保存されていなければ（ステップＳ６３でＮＯ）、処理を終了し、調査履歴が保存されていれば（ステップＳ６３でＹＥＳ）、ステップＳ６４で、全ての調査履歴に含まれる全てのキーワードについて、文書内にキーワードと一致する単語が含まれているかどうかを判別して意味レイヤを作成し、作成した意味レイヤーを対応する文書に関連付けて保存する。
【００７７】
ステップＳ６１でジョブの処理要求があれば（ステップＳ６１でＹＥＳ）、ステップＳ６５では、ジョブの対象文書がサーチャブルＰＤＦであるか、または要求されたジョブは文書をサーチャブルＰＤＦに変換するジョブ（例えばスキャナ部１２で読み取られた原稿の画像データからなる文書をサーチャブルＰＤＦに変換するジョブ等）のいずれかであるかどうかを判断する。
【００７８】
ジョブの対象文書がサーチャブルＰＤＦであるか、または要求されたジョブは文書をサーチャブルＰＤＦに変換するジョブのいずれかでなければ（ステップＳ６５でＮＯ）、ステップＳ７２に進んで、要求されたジョブを実行するための通常の処理を行う。
【００７９】
ジョブの対象文書がサーチャブルＰＤＦであるか、または要求されたジョブは文書をサーチャブルＰＤＦに変換するジョブのいずれかであれば（ステップＳ６５でＹＥＳ）、ステップＳ６６で、記憶装置１８に調査履歴が保存されているかどうかを判断する。
【００８０】
調査履歴が保存されていなければ（ステップＳ６６でＮＯ）、ステップＳ７２で通常の処理を実行する。調査履歴が保存されていれば（ステップＳ６６でＹＥＳ）、ステップＳ６７で、ジョブの対象文書について、既に意味レイヤが作成されているかどうかを判断し、既に作成されていれば（ステップＳ６７でＹＥＳ）、ステップＳ７１に進み、ジョブを実行する。
【００８１】
まだ、意味レイヤを作成されていない場合は（ステップＳ６７でＮＯ）、ステップＳ６８で、要求されたジョブが時間的制限の大きいジョブであるかどうかを判断する。
【００８２】
この実施形態では、ジョブの種類によって時間的制限の大小が予め設定されている。例えば、時間的制限のないジョブとして
・ボックス内文書をプレビュー表示するジョブ
・ボックス内文書をユーザ自身の端末装置２宛に送信するジョブ
・ボックス内文書をユーザ自身の端末装置２から閲覧したりダウンロードするジョブ
が設定されている。また、時間的制限が小さいジョブ換言すればジョブを行うえで数秒〜数十秒の時間がかかっても気にならないジョブとして、
・スキャナ部１２によりスキャンした文書をユーザ自身の端末装置２に送信するジョブ
・他のユーザへＭＦＰ１を経由して文書を送信するジョブ
が設定されている。また、時間的制限が大きいジョブ換言すればジョブを行ううえで数秒の遅れが気になるジョブとして、
・スキャナ部１２によりスキャンした文書をプレビューするジョブ
が設定されている。
【００８３】
ステップＳ６８において、要求されたジョブが時間的制限の小さいまたは制限がないジョブである場合（ステップＳ６８でＮＯ）、ステップＳ６９で、全ての調査履歴に含まれる全てのキーワードについて、ジョブの対象となる文書内にキーワードと一致する単語が含まれているかどうかを判別して意味レイヤを作成したのち、ステップＳ７１で、文書と意味レイヤを合成した表示用データを出力する。つまり、ＭＦＰ１の操作パネル部１９における表示部１９１で文書をプレビュー表示するジョブであれば、表示部１９１に出力して表示させる。また、端末装置２へ文書を送信するジョブの場合には、前記表示用データを当該外端末装置２へ送信する。
【００８４】
一方、要求されたジョブが時間的制限の大きいジョブである場合（ステップＳ６８でＹＥＳ）、ステップＳ７０で、各調査履歴に含まれる全てのキーワードの中の一部について、ジョブの対象となる文書内にキーワードと一致する単語が含まれているかどうかを判別して意味レイヤを作成したのち、ステップＳ７１で、文書と意味レイヤを合成した表示用データを出力する。
【００８５】
この実施形態では、文書内の単語判別を行う対象となるキーワード及び単語についての条件を、ユーザ等が予め設定できる構成となされている。
【００８６】
条件設定は、ＭＦＰ１の表示部１９１に表示された図９に示す設定画面において、ユーザが設定条件を入力することにより行われる。
【００８７】
図９の設定画面では、単語判別対象のキーワードの設定として、時期的条件と数を設定できる構成となされている。時期的条件としては、最新のもの、最古のものを選択でき、また期間指定も可能となされている。単語判別対象の単語としては、文書中での使用頻度を設定可能となされている。例えば、図９の例では、最新のものから１０件の調査履歴に含まれるキーワードと同一の単語があるかどうかを、文書内に２回以上使用されている単語の中から調査する設定となされている。
【００８８】
また、図９の決定キーを押すことにより設定内容が確定され、キャンセルキーを押すことで、設定内容がキャンセルされる。
【００８９】
このように、文書内の単語判別を行う対象となるキーワード及び単語をユーザが設定できるから、単語判別処理に対するユーザの意思を反映させることができる。
【００９０】
図８に示した実施形態では、ジョブを指示したユーザまたは文書を送信された端末装置２のユーザは、文書内の所定の単語について、該単語の意味を示す文章等が表示された状態で文書を閲覧することになる。このため、それらの単語についてはもはやネットワーク上の検索サイトで検索を行わなくても、ユーザは単語の意味を容易に知ることができ、極めて効率的であり便利である。しかも、文書の種類に拘わらず、単語の意味を示す文章等が表示されるから、文書が代われば単語の意味を示す文章等を表示できないといった不都合もない。
【００９１】
なお、図８の実施形態では、文書がサーチャブルＰＤＦである場合に、文書とともに単語の意味を示す文章やその文章の所在先であるウェブページのアドレスを表示するものとしたが、文章やアドレスが付加される文書のフォーマットや形式は、サーチャブルＰＤＦに限定されることはない。また、所定のボックスやフォルダに保存されている文書に対してのみ単語判別処理を行って、単語の意味を示す文章等を付加する構成としても良い。
【００９２】
図１０はこの発明の他の実施形態を示すもので、ＭＦＰ１の動作を示すフローチャートである。
【００９３】
この実施形態は、文書中の余白領域に応じて、単語の意味を示す文章等の表示方法を切り替える構成としたものである。また、上記動作も、システムコントローラ１１のＣＰＵ１１１が記憶装置１８等に記憶された動作プログラムに従って動作することにより実行される。
【００９４】
ステップＳ８１では文書内の余白領域を判別し、ステップＳ８２では、単語の意味を示す文章の全文を吹き出し表示しても、対応する単語付近の余白領域に収まるかどうかを判断する。収まれば（ステップＳ８２でＹＥＳ）、ステップＳ８３で、キーワードと一致する単語に、文章の全文を吹き出し状に表示する。収まらなければ（ステップＳ８２でＮＯ）、ステップＳ８４に進む。
【００９５】
ステップＳ８４では、付加する文章を１行だけ表示した場合、単語付近の余白領域に収まるかどうかを判断する。収まれば（ステップＳ８４でＹＥＳ）、ステップＳ８５で、キーワードと一致する単語に、文章の文頭１行のみを吹き出し状に表示し、ステップＳ８６では、吹き出しにタッチまたはカーソルを合わせると、文章の全文を表示する。
【００９６】
ステップＳ８４において、１行だけであっても余白領域に収まらなければ（ステップＳ８４でＮＯ）、ステップＳ８７で、キーワードと一致する単語を色等のフォントを変えて表示した後、ステップＳ８８では、該当する単語にタッチまたはカーソルを合わせると、文章の全文を表示する。
【００９７】
このように、文書の余白領域に応じて、表示用データが作成されるから、余白領域に応じてユーザが見易い表示用データを作成することができる。
【００９８】
図１１は、この発明のさらに他の実施形態を示すもので、ＭＦＰ１の動作を示すフローチャートである。
【００９９】
この実施形態は、ＭＦＰ１が作成した表示用データを用いてジョブを実行すべきかどうかを、文書に対して実行されるジョブの種類に基づいて判断し、実行すべきと判断された場合に、表示用データを用いてジョブを実行するものである。
【０１００】
例えば、プレゼンテーションの場面等において、ＭＦＰ１のボックスに保存されている資料用の文書を、ネットワーク経由でプロジェクタと自分の端末装置２に表示する場合、文書はプロジェクタと自分の端末装置２とで同期して表示するが、プロジェクタには単語の意味を示す文章等は表示することなく文書のみを表示し、端末装置２には文章等も表示する場合に適用される。
【０１０１】
また、スキャナ部１２でスキャンした画像データからなる文書を、複数の宛先に送信する場合、宛先の中に送信ユーザ自身の宛先が含まれる場合、自身の宛先以外には文書のみを送信するが、自身の宛先には単語の意味を示す文章等も表示するための表示用データを送信する場合である。
【０１０２】
これらの場合、送信宛先にユーザ自身の送信先が含まれている場合には、ユーザ自身の送信宛先にのみ、表示用データが送信されるような設定が、予めＭＦＰ１に対してなされている。また、送信宛先にユーザ自身の送信先が含まれているか否かは、ＭＦＰ１へのログイン時のユーザ認証によるユーザの特定と、記憶装置１８に予め記憶されているユーザ毎の宛先情報と、ユーザが入力した送信先情報とに基づいて判断すればよい。
【０１０３】
なお、図１１に示す動作も、システムコントローラ１１のＣＰＵ１１１が記憶装置１８等に記憶された動作プログラムに従って動作することにより実行される。
【０１０４】
ステップＳ９１で、ジョブの処理要求があったかどうかを判断する。ジョブの処理要求はＭＦＰ１を直接操作することにより行われても良いし、端末装置２から行われても良い。処理要求がなければ（ステップＳ９１でＮＯ）、そのまま終了する。
【０１０５】
処理要求があれば（ステップＳ９１でＹＥＳ）、ステップＳ９２で、記憶装置１８に前記調査履歴が保存されているかどうかを判断する。
【０１０６】
調査履歴が保存されていなければ（ステップＳ９２でＮＯ）、ステップＳ９６で、通常の処理によりジョブを実行する。調査履歴が保存されていれば（ステップＳ９２でＹＥＳ）、ステップＳ９３で、操作中のユーザがジョブ関連ユーザに含まれているかどうかを判断する。
【０１０７】
操作中のユーザがジョブ関連ユーザに含まれていない場合には（ステップＳ９３でＮＯ）、文書のみを送信すればよいので、ステップＳ９６に進んで通常のジョブ処理を実行する。操作中のユーザがジョブ関連ユーザに含まれている場合には（ステップＳ９３でＹＥＳ）、ステップＳ９４で、操作中のユーザの宛先へは単語の意味を示す文章等を文書内に埋め込んだ表示用データを作成して送信したのち、ステップＳ９５で、操作中のユーザ以外の宛先へは、通常の処理により文書を送信する。
【０１０８】
以上、本発明の一実施形態を説明したが、本発明は上記実施形態に限定されることはない。例えば、画像処理装置として多機能画像形成装置であるＭＦＰが用いられたが、プリンタのみ複写機のみからなる画像形成装置へ、本発明を適用しても良い。
【符号の説明】
【０１０９】
１        画像処理装置（ＭＦＰ）
２        端末装置
３、４    ネットワーク
５        ウェブ検索サイト
１１      システムコントローラ
１２      スキャナ部
１６      プリンタエンジン
１７      ネットワークインタフェース
１８      記憶装置
１９      操作パネル部
１１１    ＣＰＵ
１９１    表示部
【図１】
2011008600.tif 000003
【図２】
2011008600.tif 000004
【図３】
2011008600.tif 000005
【図４】
2011008600.tif 000006
【図５】
2011008600.tif 000007
【図６】
2011008600.tif 000008
【図７】
2011008600.tif 000009
【図８】
2011008600.tif 000010
【図９】
2011008600.tif 000011
【図１０】
2011008600.tif 000012
【図１１】
2011008600.tif 000013